(57)【要約】【課題】印刷用紙の種類にはこだわらず、用紙切れによる印刷中断を避けたいというユーザの要望に応える。【解決手段】複数の給紙機構を備えた印刷装置であって、給紙機構にセットされた印刷用紙のサイズおよび用紙種類の設定を給紙機構毎に記憶する用紙設定記憶部と、複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで前記印刷処理を継続させる給紙制御部とを備えた印刷装置。【選択図】  図２
2009286577.tif 000002
【特許請求の範囲】
【請求項１】
複数の給紙機構を備えた印刷装置であって、
前記給紙機構にセットされた印刷用紙のサイズおよび用紙種類の設定を前記給紙機構毎に記憶する用紙設定記憶部と、
複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで前記印刷処理を継続させる給紙制御部とを備えることを特徴とする印刷装置。
【請求項２】
請求項1に記載の印刷装置であって、
前記用紙設定記憶部は、さらに、前記給紙機構にセットされた印刷用紙の厚みに関する設定を給紙機構毎に記憶するものであり、
インクを吐出する印字ヘッドと、
前記印字ヘッドの吐出面に対向して設けられ、印刷時において印刷用紙を搬送する印刷時搬送機構と、
前記給紙制御部が印刷処理の途中で使用する給紙機構を変更した場合に、変更後の給紙機構にセットされている印刷用紙の厚みに関する設定に応じて、前記印字ヘッドと前記印刷時搬送機構との間隔を調整するヘッドギャップ調整部とをさらに備えることを特徴とする印刷装置。
【請求項３】
請求項1に記載の印刷装置であって、
インクを吐出する印字ヘッドと、
前記印字ヘッドの吐出面に対向して設けられ、印刷時において印刷用紙を搬送する印刷時搬送機構と、
前記印刷時搬送機構における印刷用紙の搬送速度を制御する搬送制御部とをさらに備え、
前記搬送制御部は、前記給紙制御部が印刷処理の途中で使用する給紙機構を変更した場合であっても、前記搬送速度は変更しないことを特徴とする印刷装置。
【請求項４】
請求項1に記載の印刷装置であって、
インクを吐出する印字ヘッドと、
印刷に用いる印刷用紙の種類に応じて前記印字ヘッドから吐出するインクの最大吐出量を含む吐出条件を調整する吐出処理部とをさらに備え、
前記吐出処理部は、前記給紙制御部が印刷処理の途中で使用する給紙機構を変更した場合であっても、前記吐出条件は変更しないことを特徴とする印刷装置。
【請求項５】
請求項1に記載の印刷装置であって、
インクを吐出する印字ヘッドと、
前記印字ヘッドの吐出面に対向して設けられ、印刷時において印刷用紙を搬送する印刷時搬送機構と、
前記印刷時搬送機構における印刷用紙の搬送速度を制御する搬送制御部と、
前記印字ヘッドから吐出するインクの最大吐出量を含む吐出条件を調整する吐出処理部とをさらに備え、
前記給紙制御部が印刷処理の途中で使用する給紙機構を変更した場合に、変更された給紙機構にセットされている印刷用紙の用紙種類に応じて、前記搬送制御部が前記搬送速度を変更し、前記吐出処理部が前記吐出条件を変更することを特徴とする印刷装置。
【請求項６】
請求項1に記載の印刷装置であって、
前記給紙制御部は、複数枚の印刷を行なう印刷処理の途中で、使用している給紙機構で用紙切れが発生した場合に、同じサイズで同じ用紙種類の印刷用紙がセットされている給紙機構がないときは、給紙の引き継ぎを行なわず前記印刷処理を中断させる設定を受け付け可能であることを特徴とする印刷装置。
【請求項７】
請求項1に記載の印刷装置であって、
前記給紙制御部が印刷処理の途中で使用する給紙機構を変更した場合であって、印刷用紙の用紙種類が変化した場合に、用紙種類が変更になった旨を表示する表示部をさらに備えることを特徴とする印刷装置。
【請求項８】
複数の給紙機構を備えた印刷装置と、前記印刷装置に対する印刷条件の設定を行なうプリンタドライバ部を備えたコンピュータとを有する印刷システムであって、
前記コンピュータのプリンタドライバ部は、印刷用紙の用紙種類を特定しない印刷条件を設定可能であり、
前記印刷装置は、
前記給紙機構にセットされた印刷用紙のサイズおよび用紙種類の設定を前記給紙機構毎に記憶する用紙設定記憶部と、
前記印刷用紙の用紙種類を特定しない印刷条件が設定されると、複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで前記印刷処理を継続させる給紙制御部とを備えることを特徴とする印刷システム。
【発明の詳細な説明】
【技術分野】
【０００１】
本発明は、複数の給紙機構を備えた印刷装置およびこのような印刷装置を含む印刷システムに関する。
【背景技術】
【０００２】
複数の給紙機構を備えた印刷装置が広く用いられている。複数の給紙機構を備えた印刷装置では、それぞれの給紙機構にサイズの異なる印刷用紙をセットしたり、同じサイズの印刷用を異なる給紙機構にセットしたりすることができる。
【０００３】
特許文献１には、複数の給紙機構を備えた印刷装置において、それぞれの給紙機構にセットされた印刷用紙のサイズを設定しておき、給紙に用いている給紙機構で用紙切れが発生すると、同じサイズの印刷用紙がセットされている他の給紙機構から引き続き給紙を行なうことで印刷を継続することが記載されている。
【特許文献１】特開平５−４３０６９号公報
【発明の開示】
【発明が解決しようとする課題】
【０００４】
特許文献1には、給紙機構にセットされた印刷用紙の種類は考慮されていない。一般に、ある給紙機構で用紙切れが発生して、他の給紙機構から引き続き給紙を行なう場合には、ユーザは、同一の用紙種類での印刷継続を希望することが多いと考えられる。しかしながら、印刷目的によっては、印刷用紙の種類にはこだわらず、用紙切れが発生して印刷が中断するよりは、異なる用紙種類であっても印刷を継続させたい場合もある。例えば、急いで印刷を行ないたい場合等である。
【０００５】
本発明は、このような状況を鑑みてなされたものであり、印刷用紙の種類にはこだわらず、用紙切れによる印刷中断を避けたいというユーザの要望に応える印刷装置および印刷システムを提供することを目的とする。
【課題を解決するための手段】
【０００６】
上記課題を解決するため、本発明による印刷装置は、複数の給紙機構を備えた印刷装置であって、給紙機構にセットされた印刷用紙のサイズおよび用紙種類の設定を給紙機構毎に記憶する用紙設定記憶部と、複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで前記印刷処理を継続させる給紙制御部とを備えることを特徴とする。
【０００７】
本発明によれば、用紙切れが発生した場合に、セットされている用紙種類にかかわらず、同じサイズの印刷用紙がセットされている他の給紙機構から引き続き給紙を行なようにしているため、印刷用紙の種類にはこだわらず、用紙切れによる印刷中断を避けたいというユーザの要望に応えることができる。
【０００８】
ここで、給紙機構は、外部に露出した給紙台や、架台式の給紙トレイを用いることができる。用紙種類は、例えば、普通紙、マット紙、インクジェット紙等である。用紙設定記憶部は、例えば、不揮発性のメモリを用いることができる。
【０００９】
このとき、前記用紙設定記憶部は、さらに、給紙機構にセットされた印刷用紙の厚みに関する設定を給紙機構毎に記憶するものであり、インクを吐出する印字ヘッドと、前記印字ヘッドの吐出面に対向して設けられ、印刷時において印刷用紙を搬送する印刷時搬送機構と、前記給紙制御部が印刷処理の途中で使用する給紙機構を変更した場合に、変更後の給紙機構にセットされている印刷用紙の厚みに関する設定に応じて、前記印字ヘッドと前記印刷時搬送機構との間隔を調整するヘッドギャップ調整部とをさらに備えることができる。
【００１０】
給紙機構が変更した場合、セットされている印刷用紙の厚さが変わる場合がある。このようなときに、印刷用紙と印字ヘッドとの衝突を避けるためにヘッドギャップを調整するようにしている。印刷時搬送機構は、例えば、搬送ベルトとすることができる。
【００１１】
また、インクを吐出する印字ヘッドと、前記印字ヘッドの吐出面に対向して設けられ、印刷時において印刷用紙を搬送する印刷時搬送機構と、前記印刷時搬送機構における印刷用紙の搬送速度を制御する搬送制御部とをさらに備え、前記搬送制御部は、前記給紙制御部が印刷処理の途中で使用する給紙機構を変更した場合であっても、前記搬送速度は変更しないようにしてもよい。
【００１２】
また、インクを吐出する印字ヘッドと、印刷に用いる印刷用紙の種類に応じて前記印字ヘッドから吐出するインクの最大吐出量を含む吐出条件を調整する吐出処理部とをさらに備え、前記吐出処理部は、前記給紙制御部が印刷処理の途中で使用する給紙機構を変更した場合であっても、前記吐出条件は変更しないようにしてもよい。
【００１３】
用紙切れが発生して、異なる用紙種類の印刷用紙に切り替える場合には、印刷品質を保持する観点からは、切り替えた用紙種類に対応した吐出条件、用紙搬送速度に切り替えることが望ましい。しかしながら、用紙種類の変更に伴い、印刷途中で吐出条件等を変更すると、その処理のための時間が必要になる。用紙種類を変更可能な設定を行なう場合は、用紙種類にこだわらず、急いで印刷を行なう状況が想定される。そこで、印刷に用いる印刷用紙の用紙種類を印刷途中で切り替えた場合にも、同一ドットに吐出可能なインクドロップ数の最大値の設定を含む吐出条件を変更しないようにすることができる。
【００１４】
ただし、インクを吐出する印字ヘッドと、前記印字ヘッドの吐出面に対向して設けられ、印刷時において印刷用紙を搬送する印刷時搬送機構と、前記印刷時搬送機構における印刷用紙の搬送速度を制御する搬送制御部と、前記印字ヘッドから吐出するインクの最大吐出量を含む吐出条件を調整する吐出処理部とをさらに備え、前記給紙制御部が印刷処理の途中で使用する給紙機構を変更した場合に、変更された給紙機構にセットされている印刷用紙の用紙種類に応じて、前記搬送制御部が前記搬送速度を変更し、前記吐出処理部が前記吐出条件を変更するようにしてもよい。
【００１５】
また、前記給紙制御部は、複数枚の印刷を行なう印刷処理の途中で、使用している給紙機構で用紙切れが発生した場合に、同じサイズで同じ用紙種類の印刷用紙がセットされている給紙機構がないときは、給紙の引き継ぎを行なわず前記印刷処理を中断させる設定を受け付け可能とすることで、用紙種類にこだわりたいというユーザの要望にさらに応えることができる。
【００１６】
さらには、ユーザの利便性を高めるために、前記給紙制御部が印刷処理の途中で使用する給紙機構を変更した場合であって、印刷用紙の用紙種類が変化した場合に、用紙種類が変更になった旨を表示する表示部をさらに備えるようにしてもよい。
【００１７】
上記課題を解決するため、本発明による印刷システムは、複数の給紙機構を備えた印刷装置と、前記印刷装置に対する印刷条件の設定を行なうプリンタドライバ部を備えたコンピュータとを有する印刷システムであって、前記コンピュータのプリンタドライバ部は、印刷用紙の用紙種類を特定しない印刷条件を設定可能であり、前記印刷装置は、給紙機構にセットされた印刷用紙のサイズおよび用紙種類の設定を給紙機構毎に記憶する用紙設定記憶部と、前記印刷用紙の用紙種類を特定しない印刷条件が設定されると、複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで前記印刷処理を継続させる給紙制御部とを備えることを特徴とする。
【００１８】
本発明の印刷システムによれば、用紙切れが発生した場合に、セットされている用紙種類にかかわらず、同じサイズの印刷用紙がセットされている他の給紙機構から引き続き給紙を行なようにしているため、印刷用紙の種類にはこだわらず、用紙切れによる印刷中断を避けたいというユーザの要望に応えることができる。
【発明の効果】
【００１９】
本発明によれば、印刷用紙の種類にはこだわらず、用紙切れによる印刷中断を避けたいというユーザの要望に応える印刷装置および印刷システムが提供される。
【発明を実施するための最良の形態】
【００２０】
本発明の実施の形態について図面を参照して説明する。図１は、本発明に係る印刷装置１０を含む印刷システムの構成の一例を示すブロック図である。本図に示すように印刷システムは印刷装置１０とパーソナルコンピュータ（ＰＣ）２０とが接続されて構成される。印刷装置１０とＰＣ２０との接続形態は、代表的には、複数台のＰＣが印刷装置１０を共用するＬＡＮ（Local Area Network）接続とすることができるが、印刷装置１０とパーソナルコンピュータ（ＰＣ）２０とが１対１で接続されたローカル接続であってもよい。
【００２１】
印刷装置１０は、複数の給紙機構を備えており、また、ＰＣ２０から送られた印刷データに基づく印刷を行なうプリンタ機能に加えて、原稿台に置かれた原稿の画像を読み取って複写を行なうコピー機能、電話回線を介して画像伝送を行なうファクシミリ機能を備えている。ファクシミリ機能を用いる場合には、公衆回線網等の電話回線に接続する。ただし、コピー機能、ファクシミリ機能を備えない構成としてもよい。
【００２２】
ＰＣ２０は、印刷装置１０に対応して開発されたプリンタドライバプログラムがインストールされており、このプログラムをＰＣ２０のＣＰＵが実行することにより、プリンタドライバ部２１０が形成される。プリンタドライバ部２１０は、ユーザからの指示に基づいて、印刷対象となるドキュメント等の印刷データを生成して、印刷装置１０に出力する処理を行なう。この際に、プリンタドライバ部２１０は、印刷品質、印刷枚数、用紙サイズ、用紙種類等の印刷条件の設定を行なうことができ、本実施例では、特に、印刷用紙の用紙種類を特定しない印刷条件を設定することが可能となっている。
【００２３】
図２は、本実施形態における印刷装置１０の機能構成を示すブロック図である。本図に示すように、印刷装置１０は、制御部１１０、通信処理部１２０、画像読取部１３０、画像受信部１４０、操作パネル部１５０、印刷実行部３１０、給紙部３２０、排紙部３３０、搬送駆動部３５０、ヘッドギャップ調整機構３５４を備えている。
【００２４】
通信処理部１２０は、ＰＣ２０との通信を行なうために、接続形態に応じたプロトコル処理を行なう。例えば、ＬＡＮ接続の場合には、ＴＣＰ／ＩＰによる通信処理を行なう。画像読取部１３０は、原稿台、受光素子、光源、レンズ、走査機構等を備え、原稿台に置かれた原稿の画像データを読み取って電気信号に変換し、制御部１１０に出力する処理を行なう。画像受信部１４０は、電話回線を介して所定の信号形式で送られてきた画像信号を画像データに変換して制御部１１０に出力する。操作パネル部１５０は、表示機能と入力機能とを有し、ユーザから設定を受け付けたり、印刷装置１０に関する情報を表示したりする。
【００２５】
印刷実行部３１０は、画像形成媒体を用いて印刷用紙に画像形成を行なう機構であり、本実施形態では、印刷用紙を覆う幅を有する印字ヘッド３１２からインクをライン単位で吐出して印刷を実行するインクジェット方式の機構を採用している。ただし、画像形成媒体として、トナー等を用いる印字方式を採用してもよい。
【００２６】
印刷用紙を供給する給紙部３２０は、複数の給紙機構を備えている。本実施形態では、外部に露出した給紙台３２０ａと、架台式の第1給紙トレイ３２０ｂ、架台式の第２給紙トレイ３２０ｃ、架台式の第３給紙トレイ３２０ｄ、架台式の第４給紙トレイ３２０ｅとの５つの給紙機構が備えられている。それぞれの給紙機構には、複数枚の印刷用紙を重ねた状態でセットすることができる。印刷用紙には、Ａ４、Ｂ５等のサイズと、普通紙、インクジェット（ＩＪ）用紙等の用紙種類とが定められており、１つの給紙機構には、同じサイズで同じ用紙種類の印刷用紙をセットするようにする。各給紙機構には、給紙センサが備えられており、用紙切れを検出できるようになっている。
【００２７】
排出された印刷済の印刷用紙を積載する排紙部３３０は、複数の排紙台を備えている。本実施形態では、フェイスダウンで排紙され、最大積載量の少ない標準排紙トレイ３３０ａ、フェイスアップで排紙され、最大積載量が中程度の中量排紙トレイ３３０ｂ、フェイスアップで排紙され、最大積載量が多い多量排紙トレイ３３０ｃが備えられている。それぞれの排紙台には、排紙量センサ（図３参照）が設けられており、排紙量センサは、積載された印刷用紙が最大積載量付近の所定量に達したことを検出する。排紙量センサは、例えば、積載された印刷用紙の重量を検出したり、積み重なった高さを検出することで積載された印刷用紙が所定量に達したかどうかを判断することができる。あるいは、排紙した枚数をカウントすることで積載された印刷用紙が所定量に達したかどうかを判断することができる。
【００２８】
搬送駆動部３５０は、印刷用紙を搬送する駆動機構であり、モータ等を備えて構成される。また、印字ヘッド３１２に対向する位置には、印刷時に印刷用紙を所定の印刷搬送速度で搬送する印刷時搬送機構として機能する搬送ベルト３５２が設けられている。さらに、排紙に用いる排紙台に印刷用紙を導くために搬送路を切り替える切替機構（図３参照）が複数個設けられている。
【００２９】
ヘッドギャップ調整機構３５４は、印字ヘッド３１２に印刷用紙が衝突することを防ぐために、印字ヘッド３１２と搬送ベルト３５２との距離を変化させる機構である。ヘッドギャップ調整機構３５４は、例えば、電気信号により制御される駆動機構を用いて、搬送ベルト３５２を印字ヘッド３１２に対して上下移動させることで、印字ヘッド３１２と搬送ベルト３５２との距離を変化させる。ただし、印字ヘッド３１２を搬送ベルト３５２に対して移動させるようにしてもよい。
【００３０】
制御部１１０は、ＣＰＵ、メモリ、画像処理装置等を備えて構成され、これらの装置が処理を行なうことで、操作パネル制御部１１１、用紙設定記憶部１１２、給紙制御部１１３、排紙制御部１１４、搬送制御部１１５、画像処理部１１６、吐出処理部１１７、ヘッドギャップ調整部１１８が形成される。
【００３１】
操作パネル制御部１１１は、操作パネル部１５０に表示させる画面や操作パネル部１５０を介して入力されるユーザの操作を解釈する処理を行なう。特に、本実施形態では、初期設定として、給紙機構毎にセットされた印刷用紙のサイズ、用紙種類、印刷用紙の厚みに関する設定を受け付けるメニュー画面を表示して、ユーザから設定を受け付ける処理を行なう。
【００３２】
用紙設定記憶部１１２は、例えば、不揮発性のメモリを用いて構成され、操作パネル制御部１１１がユーザから受け付けた、給紙機構毎にセットされた印刷用紙のサイズ、用紙種類、印刷用紙の厚みに関す設定を不揮発的に記憶する。
【００３３】
給紙制御部１１３は、印刷条件に応じて、印刷に用いる印刷用紙を給紙する給紙機構を設定し、所定のタイミングで印刷用紙を給紙機構から搬送駆動部３５０に取り込む制御を行なう。また、本実施形態では、複数枚の印刷を行なう印刷処理の途中で、使用している給紙機構で用紙切れが発生した場合に、セットされている用紙種類にかかわらず、同じサイズの印刷用紙がセットされている給紙機構に使用する給紙機構を変更して引き続き給紙を行なうことで印刷処理を継続させる処理を行なう。ただし、同じサイズで同じ用紙種類の印刷用紙がセットされている給紙機構がないときに、給紙の引き継ぎを行なわず印刷処理を中断させるように設定することも可能である。
【００３４】
排紙制御部１１４は、印刷条件に応じて印刷済の印刷用紙を排紙する排紙台を設定する。また、設定された排紙台から印刷用紙が排紙されるように、設定された排紙台を搬送制御部１１５に通知する。
【００３５】
搬送制御部１１５は、搬送ベルト３５２、その他の駆動機構を含んだ搬送駆動部３５０における用紙搬送を制御する。具体的には、搬送速度と搬送経路とを設定し、その設定にしたがった用紙搬送を行なうように搬送駆動部３５０に制御信号を出力する。搬送速度は印字品質、用紙種類等の印刷条件により定められ、搬送経路は、設定された給紙機構、設定された排紙台、両面印刷設定等により定められる。また、本実施形態では、印刷処理の途中で使用する給紙機構を変更した場合に、搬送速度を変更しないようにすることも、変更するようにすることも可能である。
【００３６】
画像処理部１１６は、ＲＧＢ形式の印刷データをＣＭＹＫ形式に変換し、さらに、印刷実行部３１０が解釈可能な画像データに変換する処理等を行なう。画像データは、例えば、ドット単位のインクドロップ数を示すデータである。
【００３７】
吐出処理部１１７は、画像データに基づいて印字ヘッド３１２におけるインク吐出処理を制御する。また、用紙種類毎に定められる最大インクドロップ数に基づいて、画像データで示されたインクドロップ数を調整する処理を行なう。例えば、ある用紙種類のインク吐出条件として、最大インクドロップ数が５と定められている場合に、画像データで示されるインクドロップ数を、最大値が５となるように調整する。
【００３８】
ヘッドギャップ調整部１１８は、印刷用紙の厚さに関する設定毎の印字ヘッド３１２と搬送ベルト３５２との設定距離を記憶しており、印刷用紙の厚みに関する設定に基づいて、ヘッドギャップ調整機構３５４に制御信号を送り、印字ヘッド３１２と印刷用紙との間隔が所定距離になるようにする。また、本実施形態では、印刷処理の途中で使用する給紙機構を変更した場合に、変更された給紙機構にセットされている印刷用紙の厚みに関する設定に応じて、印字ヘッド３１２と搬送ベルト３５２との間隔を調整する。
【００３９】
図３は、印刷装置１０の給紙部３２０、排紙部３３０および印刷用紙搬送経路を示す図である。本図に示すように印刷装置１０は、給紙機構として備えられた給紙台３２０ａ、第1給紙トレイ３２０ｂ、第２給紙トレイ３２０ｃ、第３給紙トレイ３２０ｄ、第４給紙トレイ３２０ｅのいずれかから給紙された印刷用紙に対して印字ヘッド３１２で印刷を行なって、標準排紙トレイ３３０ａ、中量排紙トレイ３３０ｂ、多量排紙トレイ３３０ｃのいずれかの排紙台に排紙する。上述のように、標準排紙トレイ３３０ａは、フェイスダウンで排紙され、最大積載量の少ない排紙台であり、中量排紙トレイ３３０ｂは、フェイスアップで排紙され、最大積載量が中程度の排紙台であり、多量排紙トレイ３３０ｃは、フェイスアップで排紙され、最大積載量が多い排紙台である。
【００４０】
印刷装置１０は、印字機構として、用紙搬送方向に直交する方向に伸び、多数のノズルが形成された印字ヘッド３１２を備えている。印字ヘッド３１２はインク色毎に独立しており、それぞれの印字ヘッドから黒またはカラーインクを吐出してライン単位でカラー印刷を行なう。
【００４１】
いずれかの給紙機構から１枚ずつ給紙された印刷用紙は、搬送駆動部３５０を構成するローラ等の駆動機構によって筐体内の給紙系搬送路（図中の黒太線で示される経路）に沿って搬送され、レジスト部Ｒｇに導かれる。ここでレジスト部Ｒｇは、印刷用紙の先端の位置あわせと斜行修正を行なうために設けられており、１対のレジストローラを備えて構成される。給紙された印刷用紙はレジスト部Ｒｇで一時停止し、所定のタイミングで印字機構方向に搬送される。
【００４２】
印刷用紙は、印字ヘッド３１２の対向面に設けられた環状の搬送ベルト３５２によって印刷条件により定められる速度で搬送されながら、印字ヘッド３１２から吐出されたインクによりライン単位で画像形成される。
【００４３】
上面に印刷を施された印刷用紙は、多量排紙トレイ３３０ｃに排紙される場合は、切替機構３８２により多量排紙トレイ３３０ｃ方向に搬送され、そのまま印刷面を上にして排紙されて多量排紙トレイ３３０ｃに積載されていく。中量排紙トレイ３３０ｂに排紙される場合には、切替機構３８２によってさらに筐体内を搬送され、切替機構３８４により中量排紙トレイ３３０ｂ方向に搬送さる。そして、そのまま印刷面を上にして排紙されて中量排紙トレイ３３０ｂに積載されていく。標準排紙トレイ３３０ａから排紙される場合は、切替機構３８４とローラ等の駆動機構によってさらに筐体内を搬送される。そして、切替機構３８６により標準排紙トレイ３３０ａ方向に導かれて排紙され、標準排紙トレイ３３０ａに印刷面を下にして積載されていく。
【００４４】
それぞれの排紙台は、筐体から突出したトレイ形状をしており、ある程度の厚みを有している。また、それぞれの排紙台は傾斜しており、傾斜の下位置に形成された壁により、排紙された印刷用紙が、傾斜に沿って滑落する過程で自然に整えられて重なっていくようになっている。
【００４５】
標準排紙トレイ３３０ａ、中量排紙トレイ３３０ｂ、多量排紙トレイ３３０ｃとも印刷用紙の最大積載量が定められており、印刷用紙の積載量が最大積載量付近の所定量に達したことを検出する排紙量センサ３３２a、排紙量センサ３３２ｂ、排紙量センサ３３２ｃ、がそれぞれ設けられている。
【００４６】
印刷用紙の両面に印刷を行なう両面印刷の場合は、表面（最初に印刷される面を「表面」、次に印刷される面を「裏面」とする）印刷終了時にはいずれの排紙台にも導かれずに、切替機構３８６により、さらに筐体内を搬送される。そして、スイッチバック経路ＳＲに引き込まれ、スイッチバックを行ない、搬送路に対して表裏が反転する。表裏反転後に、ローラ等の駆動機構によって再度レジスト部Ｒｇに導かれ、一時停止する。その後、所定のタイミングで印字機構方向に搬送され、表面と同様の手順によって裏面の印刷が行なわれる。裏面の印刷が行なわれ、両面に画像が形成された印刷用紙は、印刷条件に含まれる排紙口の指定にしたがって、いずれかの排紙台に排紙され積載されていく。
【００４７】
印刷装置１０では、両面印刷時におけるスイッチバックを、標準排紙トレイ３３０ａ内に設けられた空間を利用して行なうようにしている。標準排紙トレイ３３０ａ内に設けられた空間は、スイッチバック時に印刷用紙が外部から取り出せないように覆われた構成となっている。これにより、利用者が誤ってスイッチバック動作中の印刷用紙を引き抜いてしまうことを防ぐことができる。また、標準排紙トレイ３３０ａは、本来印刷装置１０に備えられているものであり、標準排紙トレイ３３０ａ内の空間を利用してスイッチバックを行なうことにより、印刷装置１０内に、別途スイッチバック用の空間を設ける必要がなくなる。したがって、筐体のサイズが増大してしまうことを防ぐことができる。さらには、標準排紙トレイ３３０ａとスイッチバック経路とを共用しないため、スイッチバック処理と他の用紙の排紙とを並行して行なうことができる。
【００４８】
次に、印刷装置１０の基本的な印刷処理について図４のフローチャートを参照して説明する。上述のように、印刷装置１０は、ＰＣ２０から送られた印刷データに基づく印刷を行なうプリンタ機能に加えて、画像を読み取って複写を行なうコピー機能、電話回線を介して画像伝送を行なうファクシミリ機能を備えている。したがってそれぞれの機能に応じた印刷手順が行なわれる。
【００４９】
まず、印刷処理に先立って、初期設定が行なわれる（Ｓ１０１）。初期設定では、従来と同様の設定項目とともに、本実施形態の特徴的な設定内容として、給紙機構毎の印刷用紙のサイズと用紙種類の設定が行なわれる。印刷用紙のサイズの設定は、例えば、図５に示すようなメニュー画面１５０ａを操作パネル部１５０に表示することで行なうことができる。本図の例は、給紙台３２０ａにセットされた印刷用紙の用紙サイズを設定するためのメニュー画面である。
【００５０】
すなわち、ユーザは、本画面１５０ａ上から給紙台３２０ａにセットした印刷用紙の用紙サイズを設定する。制御部１１０の操作パネル制御部１１１は、各給紙機構について本図に示すような画面を表示してユーザから設定を受け付け、設定内容を用紙設定記憶部１１２に記録する。なお、給紙機構によって給紙できない用紙サイズがある場合には、そのサイズをメニューから削除しておくことが望ましい。
【００５１】
また、印刷用紙の用紙種類の設定は、例えば、図６に示すようなメニュー画面１５０ｂを操作パネル部１５０に表示することで行なうことができる。本図の例は、給紙台３２０ａにセットされた印刷用紙の用紙種類を設定するためのメニュー画面である。ここでは、「普通紙」「ＩＪ用紙」「ＩＪマット用紙」「高品位紙」「ＩＪハガキ」のいずれかを選択できるようになっている。
【００５２】
ユーザは、本画面１５０ｂ上から給紙台３２０ａにセットした印刷用紙の用紙種類を設定する。制御部１１０の操作パネル制御部１１１は、各給紙機構について本図に示すような画面を表示してユーザから設定を受け付け、設定内容を用紙設定記憶部１１２に記録する。なお、給紙機構によって給紙できない用紙種類がある場合には、そのサイズをメニューから削除しておくことが望ましい。
【００５３】
さらに、本画面１５０ｂでは、給紙設定も行なう。給紙設定は、印刷用紙の厚さに関する設定であり、ここでは、「標準」「薄め」「厚め」「封筒」「ハガキ」「Ｕ１」「Ｕ２」のいずれかを選択できるようになっている。ヘッドギャップ調整部１１８は、印刷用紙の給紙設定毎の印字ヘッド３１２と搬送ベルト３５２との設定距離を記憶しており、この設定距離に基づいて、ヘッドギャップが調整される。なお、「Ｕ１」「Ｕ２」はユーザが任意に用紙の厚さを設定できる項目である。
【００５４】
初期設定が完了した印刷装置１０は、ＰＣ２０から印刷データを受信した場合（Ｓ１０２：Ｙｅｓ）には、画像処理部１１６が受信した印刷データを画像データに変換する処理を行なって（Ｓ１０３）、印刷実行部３１０で印刷処理が行なわれる（Ｓ１０８）。
【００５５】
画像受信部１４０が電話回線を介してファクシミリデータを受信した場合（Ｓ１０４：Ｙｅｓ）は、ファクシミリ画像信号を画像データに変換する処理を行なって（Ｓ１０５）、印刷実行部３１０で印刷処理が行なわれる（Ｓ１０８）。
【００５６】
操作パネル部１５０を介してユーザから複写操作を受け付けた場合（Ｓ１０６：Ｙｅｓ）は、画像読取部１３０が画像読取処理を行なって（Ｓ１０７）、印刷実行部３１０で印刷処理が行なわれる（Ｓ１０８）。
【００５７】
次に、ＰＣ２０から印刷データを受信した場合を例に、印刷装置システムにおける印刷処理について説明する。ＰＣ２０から印刷を行なう場合には、プリンタドライバ部２１０が提供する印刷設定画面で、印刷条件の設定が行なわれる。図７は、印刷条件の設定を行なう画面を示す図である。本図に示すように印刷条件の設定画面では、メニュー操作によって、カラーモード、原稿サイズ、出力用紙サイズ、給紙トレイ選択、用紙種類選択等が行えるようになっている。なお、コピー機能、ファクシミリ機能を用いて印刷を行なう場合には、操作パネル部１５０を介して、同様の印刷条件の設定を行なうことができる。プリンタドライバ部２１０は、印刷条件の設定を行なう画面を表示するに際し、印刷装置１０と通信を行ない、印刷装置１０の状態やセットされている印刷用紙等の情報を取得することができる。
【００５８】
ユーザは、出力用紙サイズ設定メニュー５１２で、印刷に用いる用紙のサイズを設定することができる。あるいは、原稿サイズ設定メニュー５１１で原稿サイズを設定し、出力用紙サイズ設定メニュー５１２で「原稿サイズと同じ」を選択することで間接的に印刷に用いる用紙のサイズを設定することができる。
【００５９】
また、給紙トレイ選択メニュー５１３で、給紙に使用する給紙機構を設定することができる。給紙トレイ選択メニュー５１３は、図８（ａ）に示すように、印刷装置１０が備える給紙機構である「給紙台」「第１トレイ」「第２トレイ」「第３トレイ」「第４トレイ」に加え、「オートトレイ選択」を選択できるようになっている。ユーザは、特定の給紙機構を指定したい場合には、「給紙台」「第１トレイ」「第２トレイ」「第３トレイ」「第４トレイ」のいずれかを選択し、給紙トレイの選択を印刷装置１０に委ねる場合には、「オートトレイ選択」を選択すればよい。
【００６０】
特定の給紙機構が指定された場合には、指定された給紙機構で用紙切れが発生すると、用紙切れエラーとなり、印刷処理は中断される。「オートトレイ選択」が選択された場合には、条件を満たす他の給紙機構があれば、給紙がその給紙機構に引き継がれ、印刷処理は継続される。本実施形態では、「オートトレイ選択」が選択されるものとする。
【００６１】
また、用紙種類選択メニュー５１４で、印刷に用いる印刷用紙の用紙種類を設定することができる。用紙種類選択メニュー５１４は、図８（ｂ）に示すように、特定の用紙種類である「普通紙」「ＩＪ用紙」「ＩＪマット紙」「高品位紙」「ＩＪハガキ」に加え、「指定しない」を選択できるようになっている。ユーザは、特定の用紙種類で印刷を行ないたい場合は、「普通紙」「ＩＪ用紙」「ＩＪマット紙」「高品位紙」「ＩＪハガキ」のいずれかを選択し、用紙種類にこだわらないで用紙種類の選択を印刷装置１０に委ねる場合には、「指定しない」を選択すればよい。特に、急ぎの印刷等で、用紙切れによる印刷中断を避けたい場合には、「指定しない」を選択するようにする。
【００６２】
「オートトレイ選択」が選択されている状態で、特定の用紙種類が選択された場合、印刷装置１０は、選択された特定の用紙種類がセットされている給紙機構を選び出して印刷を開始する。印刷の途中でその給紙機構で用紙切れが発生すると、印刷装置１０は、同じサイズの特定の用紙種類がセットされている他の給紙機構を選び出して印刷を継続する。同じサイズの特定の用紙種類がセットされている他の給紙機構がない場合には、用紙切れエラーとなり、印刷処理は中断される。
【００６３】
「オートトレイ選択」が選択されている状態で、用紙種類選択メニュー５１４で「指定しない」が選択された場合、印刷装置１０は、用紙サイズが合致する任意の用紙種類の印刷装置がセットされている給紙機構を選び出して印刷を開始する。印刷の途中でその給紙機構で用紙切れが発生すると、印刷装置１０は、同じサイズの任意の用紙種類がセットされている他の給紙機構を選び出して印刷を継続する。同じサイズの任意の用紙種類がセットされている他の給紙機構がない場合には、用紙切れエラーとなり、印刷処理は中断される。
【００６４】
図９は、ＰＣ２０から印刷データを受信した印刷装置１０の印刷処理を説明するフローチャートである。本フローチャートは、給紙トレイ選択メニュー５１３で「オートトレイ選択」が選択されている場合の印刷処理を示している。
【００６５】
印刷装置１０は、ＰＣ２０から印刷データを受信すると（Ｓ２０１）、用紙種類選択メニュー５１４で「指定しない」が選択されているかどうかを判断する（Ｓ２０２）。
【００６６】
用紙種類選択メニュー５１４で「指定しない」が選択されている場合（Ｓ２０２：Ｙｅｓ）には、給紙に用いる給紙機構を設定する（Ｓ２０３）。ここでの給紙機構の設定では、出力用紙サイズ設定メニュー５１２で設定された用紙サイズの印刷用紙をセットしているいずれかの給紙機構を設定する。なお、設定された用紙サイズの印刷用紙をセットしている給紙機構が複数ある場合には、用紙種類に優先順位を付して、例えば、「普通紙」をセットしている給紙機構を優先的に設定することが望ましい。ただし、ユーザがあらかじめ用紙種類の優先順位を設定できるようにしてもよい。
【００６７】
そして、設定された給紙機構から印刷用紙を給紙して印刷を開始する（Ｓ２０４）。この際、設定された給紙機構にセットされている印刷用紙の厚みに対応してヘッドギャップを調整する。印刷は、印刷が終了するまで繰り返す（Ｓ２０５：Ｙｅｓ）。
【００６８】
印刷終了前（Ｓ２０５：Ｎｏ）に、設定された給紙機構で用紙切れが発生した場合（Ｓ２０６：Ｙｅｓ）には、他の給紙機構に同じサイズの印刷用紙がセットされているかどうかを判断する（Ｓ２０７）。同じサイズの印刷用紙がセットされている他の給紙機構がない場合（Ｓ２０７：Ｎｏ）には、用紙切れエラーが発生したことを操作パネル部１５０に表示して、印刷を中断する（Ｓ２１３）。
【００６９】
一方、同じサイズの印刷用紙がセットされている他の給紙機構がある場合（Ｓ２０７：Ｙｅｓ）には、その給紙機構にセットされている印刷用紙の用紙種類が同じであるかどうかを判断する（Ｓ２０８）。同じ用紙種類であった場合（Ｓ２０８：Ｙｅｓ）には、給紙に使用する給紙機構をその同じサイズ、同じ用紙種類の印刷用紙がセットされている給紙機構に変更する（Ｓ２０９）。そして、変更された給紙機構から給紙を行なって、印刷を継続する（Ｓ２１２）。
【００７０】
同じ用紙種類でなかった場合（Ｓ２０８：Ｎｏ）には、用紙種類にかかわらず、給紙に使用する給紙機構をその同じサイズの印刷用紙がセットされている給紙機構に変更する（Ｓ２１０）。そして、用紙設定記憶部を参照して、その給紙機構に対して設定されている給紙条件を取得し、必要に応じてヘッドギャップの調整を行なう（Ｓ２１１）。
【００７１】
すなわち、ヘッドギャップは、変更前の給紙機構にセットされていた印刷用紙の厚みに対応して設定されているが、印刷途中で印刷用紙の種類が変更された場合には、印刷用紙と印字ヘッド３１２との衝突を避けるために、ヘッドギャップを変更する必要があるからである。したがって、例えば、厚手の普通紙と薄手の普通紙とが異なる給紙機構にセットされている場合には、用紙種類が同一でも、印刷用紙の厚みが異なっている場合には、ヘッドギャップを調整する必要がある。このような場合は、印刷用紙の厚みに関する設定を含めて用紙種類が同一かどうかを判断するようにする。つまり、同じ用紙種類であっても、印刷用紙の厚みが異なっている場合には、ヘッドギャップの調整に関しては、異なる用紙種類であるとして取り扱うようにする。
【００７２】
例えば、図１０（ａ）に示すように、変更前の給紙機構に印刷用紙Ｐ１がセットされていたとする。このとき、印刷用紙の厚みに関す設定である給紙設定で指定された項目に対応したヘッドギャップＨｇ１が設定されており、印字ヘッド３１２と印刷用紙Ｐ１との距離Ｄｓが確保されている。
【００７３】
この状態から用紙切れが発生し、異なる用紙種類の印刷用紙Ｐ２をセットした給紙機構に切り替わると、図１０（ｂ）に示すように、ヘッドギャップ調整機構３５４が搬送ベルト３５２を下方向に移動させ、印刷用紙Ｐ２に対応したヘッドギャップＨｇ２に調整し、印字ヘッド３１２と印刷用紙Ｐ２との距離Ｄｓを確保できるようにしている。
【００７４】
ヘッドギャップの調整を行なうと、変更された給紙機構から給紙を行なって、印刷を継続する（Ｓ２１２）。これにより、用紙切れにより中断させることなく印刷を完了させることができる。なお、印刷途中で用紙種類が変更になった場合は、変更時、あるいは、印刷終了時等に、操作パネル部１５０、プリンタドライバ部２１０に、用紙種類が切り替わった旨の表示を行なって、ユーザに通知することが望ましい。
【００７５】
用紙種類選択メニュー５１４で「指定しない」ではなく、特定の用紙種類が選択されている場合（Ｓ２０２：Ｎｏ）には、その特定の用紙種類で、出力用紙サイズ設定メニュー５１２で設定された用紙サイズの印刷用紙がセットされている給紙機構を、給紙に用いる給紙機構として設定する（Ｓ２１４）。
【００７６】
そして、設定された給紙機構から印刷用紙を給紙して印刷を開始する（Ｓ２１５）。この際、設定された給紙機構にセットされている印刷用紙の厚みに対応してヘッドギャップを調整する。印刷は、印刷が終了するまで繰り返す（Ｓ２１６：Ｙｅｓ）。
【００７７】
印刷終了前（Ｓ２１６：Ｎｏ）に、設定された給紙機構で用紙切れが発生した場合（Ｓ２１７：Ｙｅｓ）には、他の給紙機構に同じサイズで同じ用紙種類の印刷用紙がセットされているかどうかを判断する（Ｓ２１８）。同じサイズで同じ用紙種類の印刷用紙がセットされている他の給紙機構がない場合（Ｓ２１８：Ｎｏ）には、用紙切れエラーが発生したことを操作パネル部１５０に表示して、印刷を中断する（Ｓ２１３）。すなわち、ユーザが特定の用紙種類を用いた印刷を希望する場合には、異なる用紙種類での印刷を行なわないようにすることができる。
【００７８】
一方、同じサイズで同じ用紙種類の印刷用紙がセットされている他の給紙機構がある場合（Ｓ２１８：Ｙｅｓ）には、給紙に使用する給紙機構をその同じサイズ、同じ用紙種類の印刷用紙がセットされている給紙機構に変更する（Ｓ２１９）。そして、変更された給紙機構から給紙を行なって、印刷を継続する（Ｓ２２０）。
【００７９】
なお、インクジェット方式の印字機構では、印刷用紙にインク滴をドロップすることにより印刷を行なう。そして、インク滴のドロップ数を調整することで、濃度階調の表現を行なっている。すなわち、濃度の濃いドットでは、インクドロップ数を多くし、濃度の薄いドットでは、インクドロップ数を少なくしている。
【００８０】
一般に、印刷用紙は、印刷用紙の種類に応じて表面のコーティング状態が異なるため、用紙種類毎に、吐出条件として、同一ドットに吐出可能なインクドロップ数の最大値が定められている。例えば、高品質の印刷用紙では、低品質の印刷用紙よりも多くのドロップ数を吐出することが可能である。このため、用紙切れが発生して、異なる用紙種類の印刷用紙に切り替える場合には、印刷品質を保持する観点からは、切り替えた用紙種類に対応した吐出条件に切り替えることが望ましい。
【００８１】
しかしながら、用紙種類の変更に伴い、印刷途中で吐出条件を変更すると、その処理のための時間が必要になる。上述のように用紙種類を変更可能な設定を行なう場合は、用紙種類にこだわらず、急いで印刷を行なう状況が想定される。そこで、本実施形態では、印刷に用いる印刷用紙の用紙種類を印刷途中で切り替えた場合にも、同一ドットに吐出可能なインクドロップ数の最大値の設定を含む吐出条件を変更しないようにする。
【００８２】
また、搬送ベルト３５２の搬送速度は、一般に、同一ドットに吐出可能なインクドロップ数の最大値に応じて変更される。印刷速度の観点からは、なるべく速い速度で搬送することが望ましいが、印刷時の搬送速度を早くしすぎると、同一ドットに多くのドロップ数を吐出した場合に位置ズレが発生してしまうため、最大ドロップ数に応じて印刷時の搬送速度を制限する必要があるからである。
【００８３】
このため、印刷に用いる印刷用紙の用紙種類を印刷途中で切り替えた場合、吐出条件に加え、印刷時の搬送速度も変化させないようにする。図１１（ａ）は、この場合の印刷システムの処理を示すフローチャートである。
【００８４】
本図の例では、ＰＣ２０のプリンタドライバ部２１０が印刷対象のドキュメントおよび印刷条件の設定にしたがって、各ドットのインクドロップ数を設定する（Ｓ３０１）。このため、印刷装置１０には、印刷データとして、各ドットのインクドロップ数情報が送信され、印刷装置１０は、受信したインクドロップ数情報に基づいてインク吐出が行なわれる（Ｓ３０２）。印刷途中で、用紙切れが発生し、印刷用紙の用紙種類が変更になった場合にも（Ｓ３０３）、ドロップ数、用紙搬送速度の変更は行なわれず、そのままの吐出条件、用紙搬送速度で印刷が継続される（Ｓ３０４）。なお、各ドットのインクドロップ数の設定は、印刷装置１０の画像処理部１１６が行なうようにしてもよい。例えば、コピー機能、ファクシミリ機能を用いて印刷を行なう場合は、印刷装置１０の画像処理部１１６が各ドットのインクドロップ数を設定する。
【００８５】
ただし、印刷に用いる印刷用紙の用紙種類を印刷途中で切り替えた場合に、インクの吐出条件および印刷時の搬送速度を変化させるようにしてもよい。以下に、印刷に用いる印刷用紙の用紙種類を印刷途中で切り替えた場合に、インクの吐出条件および印刷時の搬送速度を変化させる場合について説明する。
【００８６】
印刷システムにおいて、インクのドロップ数を設定する処理を行なうのは、ＰＣ２０のプリンタドライバ部２１０あるいは印刷装置１０の画像処理部１１６のいずれかとすることができる。また、設定されているインクドロップ数の調整は、印刷装置１０の吐出処理部１１７が行なうものとする。まず、ＰＣ２０のプリンタドライバ部２１０がインクのドロップ数を設定する場合の処理について図１１（ｂ）に示したフローチャートを参照して説明する。
【００８７】
本図の例では、ＰＣ２０のプリンタドライバ部２１０が印刷対象のドキュメントおよび印刷条件の設定にしたがって、各ドットのインクドロップ数を設定する（Ｓ３１１）。このため、印刷装置１０には、印刷データとして、各ドットのインクドロップ数情報が送信され、印刷装置１０は、受信したインクドロップ数情報に基づいてインク吐出が行なわれる（Ｓ３１２）。印刷途中で、用紙切れが発生し、印刷用紙の用紙種類が変更になった場合には（Ｓ３１３）、印刷装置１０の吐出処理部１１７が、あらかじめ定められた規則に従って、設定されている各ドットのインクドロップ数を変更後の用紙種類に対応したドロップ数に調整し、また、搬送制御部１１５が、調整された最大ドロップ数に対応した用紙搬送速度に変更した上で、印刷を継続する（Ｓ３１４）。
【００８８】
次に、印刷装置１０の画像処理部１１６がインクのドロップ数を設定する場合の処理について図１１（ｃ）に示したフローチャートを参照して説明する。コピー機能、ファクシミリ機能を用いて印刷を行なう場合も本処理が行なわれる。
【００８９】
本図の例では、印刷装置１０の画像処理部１１６がＰＣ２０から送られた印刷データ、読み取った画像データ、印刷条件の設定等にしたがって、各ドットのインクドロップ数を設定する（Ｓ３２１）。そして、設定したインクドロップ数に基づいてインク吐出が行なわれる（Ｓ３２２）。印刷途中で、用紙切れが発生し、印刷用紙の用紙種類が変更になった場合には（Ｓ３２３）、印刷装置１０の吐出処理部１１７が、あらかじめ定められた規則に従って、変更後の用紙種類に対応したドロップ数に調整し、また、搬送制御部１１５が調整された最大ドロップ数に対応した用紙搬送速度に変更した上で、印刷を継続する（Ｓ３２４）。
【００９０】
以上説明したように、本実施形態によれば、用紙切れが発生した場合に、セットされている用紙種類にかかわらず、同じサイズの印刷用紙がセットされている他の給紙機構から引き続き給紙を行なようにしているため、印刷用紙の種類にはこだわらず、用紙切れによる印刷中断を避けたいというユーザの要望に応えることができる。
【図面の簡単な説明】
【００９１】
【図１】本発明に係る印刷装置を含む印刷システムの構成の一例を示すブロック図である。
【図２】本実施形態における印刷装置の機能構成を示すブロック図である。
【図３】印刷装置の給紙機構、排紙台および印刷用紙搬送経路を示す図である。
【図４】印刷装置の基本的な印刷処理について説明するフローチャートである。
【図５】印刷用紙のサイズの設定を行なう画面を示す図である。
【図６】印刷用紙の用紙種類の設定を行なう画面を示す図である。
【図７】印刷条件の設定を行なう画面を示す図である。
【図８】給紙トレイ選択メニュー、用紙種類選択メニューを示す図である。
【図９】ＰＣから印刷データを受信した印刷装置の印刷処理を説明するフローチャートである。
【図１０】ヘッドギャップの調整を説明する図である。
【図１１】用紙種類の変更と吐出条件および搬送速度の変更について説明するフローチャートである。
【符号の説明】
【００９２】
１０…印刷装置、２０…ＰＣ、１１０…制御部、１１１…操作パネル制御部、１１２…用紙設定記憶部、１１３…給紙制御部、１１４…排紙制御部、１１５…搬送制御部、１１６…画像処理部、１１７…吐出処理部、１１８…ヘッドギャップ調整部、１２０…通信処理部、１３０…画像読取部、１４０…画像受信部、１５０…操作パネル部、２１０…プリンタドライバ部、３１０…印刷実行部、３１２…印字ヘッド、３２０…給紙機構、３２０…給紙部、３３０…排紙部、３５０…搬送駆動部、３５２…搬送ベルト、３５４…ヘッドギャップ調整機構、３８２…切替機構、３８４…切替機構、３８６…切替機構
【図１】
2009286577.tif 000003
【図２】
2009286577.tif 000004
【図３】
2009286577.tif 000005
【図４】
2009286577.tif 000006
【図５】
2009286577.tif 000007
【図６】
2009286577.tif 000008
【図７】
2009286577.tif 000009
【図８】
2009286577.tif 000010
【図９】
2009286577.tif 000011
【図１０】
2009286577.tif 000012
【図１１】
2009286577.tif 000013